(57)【特許請求の範囲】
【請求項１】
液体を加熱する電気貯湯容器であって、
てこ構造からなり、軸支点から力点までの長さよりも力点の幅方向の長さが大きい横長のシーソー構造を有し、かつ前記液体の吐出を操作する給湯操作部と、
前記給湯操作部のロックを解除する給湯ロック解除操作部とを、同一面内に配設しないことを特徴とする電気貯湯容器。
【請求項２】
液体を加熱する電気貯湯容器であって、
給湯操作部のロックを解除する給湯ロック解除操作部は、上面に配設され、
前記液体の吐出を操作する給湯操作部は、前記給湯ロック解除操作部より下方に配設され、
基板の一方の面に前記給湯ロック解除操作部の操作入力部を備え、
前記基板の他方の面に前記給湯操作部の操作入力部を備えたことを特徴とする電気貯湯容器。
【発明の詳細な説明】
【技術分野】
【０００１】
本発明は、液体を加熱して湯沸しを行う電気貯湯容器に関する。
【背景技術】
【０００２】
従来から電気貯湯容器に関して種々の研究開発が行われている。例えば、特許文献１には、吐出操作部材が気付かれやすく使用しやすい電気貯湯容器について開示されている。
【０００３】
特許文献１記載の電気貯湯容器には、定置できる器体を有して、内容液をヒータで加熱して湯沸しや保温を行って貯湯し、貯湯している内容液を、器体の上端前部に張り出した張り出し部の上面にある吐出操作部材を操作して吐出手段を働かせることにより、張り出し部を経てこの張り出し部から吐出口が下向きに開口した吐出路を通じ吐出し、使用に供する電気貯湯容器において、張出し部の上面の操作面に吐出操作部材が設けられ、この吐出操作部材を張り出し部の上方から見た外郭から外方にはみ出して設けたものである。
【先行技術文献】
【特許文献】
【０００４】
【特許文献１】特許４２７４１９４号公報
【発明の概要】
【発明が解決しようとする課題】
【０００５】
特許文献１記載の電気貯湯容器は、吐出操作部材の位置に気がつきやすく、使用しやすい効果を充分に奏する。
【０００６】
しかしながら、吐出操作部材と、吐出操作部材のロックを解除する解除ボタンとが、同一面内に設けられているため、万が一、電気貯湯容器の上方から物が落下した場合、同時に押下操作される可能性がある。仮にそういう事象が生じた場合、使用者の意図しない液体の誤吐出を許可することとなる。
【０００７】
本発明の目的は、意図しない液体の誤吐出を防止することができる電気貯湯容器を提供することである。
【課題を解決するための手段】
【０００８】
（１）
一の局面に従う電気貯湯容器は、液体を加熱する電気貯湯容器であって、液体の吐出を操作する給湯操作部と、給湯操作部のロックを解除する給湯ロック解除操作部とを、同一面内に配設しないものである。
【０００９】
この場合、給湯操作部と、給湯ロック解除操作部とが同一面内に設けられないため、電気貯湯容器への物の接触または衝突による液体の誤吐出を防止することができる。
すなわち、電気貯湯容器の上方から物が落下した際であっても、電気貯湯容器の給湯操作部と、給湯ロック解除操作部とが同一面内に設けられていないので、給湯操作部と、給湯ロック解除操作部とが同時に押下操作されることを防止できる。その結果、意図しない液体の誤吐出を防止することができる。
また、万が一、使用者が給湯ロック解除操作部を押下操作した後に、再度、給湯ロック解除操作部を押下操作しようとして、誤って同一面内の給湯操作部を押下操作することを防止することができる。
【００１０】
（２）
他の局面に従う電気貯湯容器は、液体を加熱する電気貯湯容器であって、給湯操作部のロックを解除する給湯ロック解除操作部は、上面に配設され、液体の吐出を操作する給湯操作部は、給湯ロック解除操作部より下方に配設されたものである。
【００１１】
この場合、給湯ロック解除操作部が上面に設けられ、給湯操作部が給湯ロック解除操作部よりも下方に設けられるため、電気貯湯容器への物の接触または衝突による液体の誤吐出を防止することができる。
すなわち、電気貯湯容器の上方から物が落下した際であっても、給湯操作部が給湯ロック解除操作部よりも下方に設けられているので、給湯操作部と、給湯ロック解除操作部とが同時に押下操作されることを防止できる。その結果、意図しない液体の誤吐出を防止することができる。
また、万が一、使用者が給湯ロック解除操作部を押下操作した後に、再度、給湯ロック解除操作部を押下操作しようとして、誤って給湯操作部を押下操作することを防止することができる。
【００１２】
（３）
さらの他の局面に従う電気貯湯容器は、液体を加熱する電気貯湯容器であって、液体の吐出を操作する給湯操作部と、給湯操作部のロックを解除する給湯ロック解除操作部とは、それぞれ鉛直上下方向に異なった面内に配置されたものである。
【００１３】
この場合、給湯操作部と給湯ロック解除操作部とが鉛直上下方向に異なった面内に配置されるため、電気貯湯容器への物の接触または衝突による液体の誤吐出を防止することができる。
すなわち、電気貯湯容器の上方から物が落下した際であっても、給湯操作部と給湯ロック解除操作部とが鉛直上下方向に異なった面内に配置されるので、給湯操作部と、給湯ロック解除操作部とが同時に押下操作されることを防止できる。その結果、意図しない液体の誤吐出を防止することができる。
また、万が一、使用者が給湯ロック解除操作部を押下操作した後に、再度、給湯ロック解除操作部を押下操作しようとして、誤って給湯操作部を押下操作することを防止することができる。
【００１４】
（４）
電気貯湯容器であって、基板の一方の面に給湯ロック解除操作部の操作入力部を備え、基板の他方の面に給湯操作部の操作入力部を備えてもよい。
【００１５】
この場合、基板の一方の面に給湯ロック解除操作部の操作入力部を備え、基板の他方の面に給湯操作部の操作入力部を備えているので、基板よりも上方に給湯ロック解除操作部を設け、基板よりも下方に給湯操作部を設けることができる。その結果、給湯操作部と給湯ロック解除操作部とを鉛直上下方向に異なった面内に配置させつつ、給湯ロック解除操作部および給湯操作部の操作入力部を一枚の基板で構成することができる。
また、万が一、使用者が給湯ロック解除操作部を押下操作した後に、再度、給湯ロック解除操作部を押下操作しようとして、誤って給湯操作部を押下操作することを防止することができる。
【００１６】
（５）
電気貯湯容器であって、給湯操作部は、鉛直上下方向に操作可能であり、操作入力部は、給湯操作部の鉛直上下方向の移動に従い、入力のオンオフを切り換えることが好ましい。
【００１７】
この場合、給湯操作部は、鉛直上下方向に操作可能であるので、操作入力部は、鉛直上下方向、例えば、鉛直上方向に移動した場合にオンする、または鉛直下方向に移動した場合にオフする構造を有してもよい。また、電気貯湯容器は、鉛直軸周りに回転することができるので、吐出口を上面視して３６０度自在に移動させることができる。したがって、給湯操作部が、水平方向に操作可能であると、誤操作および誤動作の原因になるので、好ましくない。一方、鉛直上下方向に操作可能とすることで、確実にオンオフを行うことができ、誤操作および誤動作を防止することができる。
【発明の効果】
【００１８】
本発明によれば、電気貯湯容器において意図しない液体の誤吐出を防止することができる。
【図面の簡単な説明】
【００１９】
【図１】本発明に係る電気貯湯容器の外観の一例を示す模式的斜視図である。
【図２】図１の電気貯湯容器の動作を示す模式的斜視図である。
【図３】図１および図２の電気貯湯容器のノーズ部の拡大図である。
【図４】給湯操作レバーと基板と吐出部との構造の一例を示す模式的斜視図である。
【図５】吐出部を含むノーズ部の中央部の断面の一例を示す模式図である。
【図６】給湯操作レバーと、基板との構造の断面を示す模式図である。
【図７】給湯操作レバーと、基板との構造の断面を示す模式図である。
【図８】前パネルの構造について説明する説明図である。
【図９】前パネルの構造について説明する説明図である。
【図１０】前パネルの断面構造について説明する説明図である。
【図１１】図４の他の例を示す模式図である。
【図１２】図４のさらに他の例を示す模式図である。
【図１３】図３の他の例を示す模式図である。
【発明を実施するための形態】
【００２０】
以下、本発明の実施形態に係る電気貯湯容器について図面を参照しながら説明する。
【００２１】
＜本実施形態＞
本実施形態の電気貯湯容器１００は、飲料水等の液体を加熱する装置であって、家庭用の電気ポットまたは電気ケトルとして利用される。この電気貯湯容器１００は、図１および図２に示すように、胴体部１１０と、胴体部１１０の上部に取り付けられる蓋部２００と、操作部を含むノーズ部３００と、加熱された液体が吐出される吐出ノズルを含む吐出部５００と、液量表示の表示シール６９０を有する前パネル６００と、を備える。
【００２２】
また、図１に示すように、ノーズ部３００の上面パネル部材３０１には、液晶３１０、複数のボタンスイッチ３２０が設けられ、ノーズ部３００の下部には、前パネル６００の一部を凹形状で形成したポケット部６００ｐが配置され、当該ポケット部６００ｐ内に給湯操作レバー４００が設けられる。
【００２３】
＜使用状態の説明＞
次に、図２は電気貯湯容器１００の動作を示す模式的斜視図である。
【００２４】
図１および図２に示すように、電気貯湯容器１００の蓋部２００は、開閉レバー２１０を操作することにより、胴体部１１０の後上部に設けられたヒンジピンを軸として矢印Ｒ１の方向に軸回転する。その結果、胴体部１１０内部の内容器１３０を露出させることができ、内容器１３０内に水を供給することができる。
また、胴体部１１０内部には、内容器１３０を支持するとともに、ノーズ部３００内部の強度向上構造を有するシタクチ部材１４０が設けられている。シタクチ部材１４０には、手持ちハンドル１４９も取り付けられている。当該手持ちハンドル１４９は、電気貯湯容器１００を持ち運ぶ際に、垂直方向に回動して用いられる。
【００２５】
また、図２に示すように、本実施の形態に係る電気貯湯容器１００は、矢印Ｒ２の方向に回転可能である。その結果、吐出部５００を鉛直軸周りに３６０度移動させることができる。
【００２６】
＜ノーズ部の説明＞
図３は図１および図２の電気貯湯容器１００のノーズ部３００の拡大図である。図３に示すように、ノーズ部３００の上面に設けられた複数のボタンスイッチ３２０の一つに、給湯操作レバー４００のロックを解除するロック解除ボタン３２０Ｌが設けられる。したがって、ノーズ部３００の上面にロック解除ボタン３２０Ｌが設けられ、給湯操作レバー４００は、ノーズ部３００の上面に設けられず、ノーズ部３００の下方に設けられたポケット部６００ｐ内に配置される。
【００２７】
例えば、使用者は、ロック解除ボタン３２０Ｌを押下操作した後に、給湯操作レバー４００を操作（矢印Ｐ１または矢印Ｐ２の部分を押下操作）することにより、吐出部５００から熱湯または水が矢印ＥＸの方向に吐出される。
一方、ロック解除ボタン３２０Ｌを押下操作することなく、給湯操作レバー４００を操作しても吐出部５００から熱湯または水が吐出されないよう制御される。また、さらに、ロック解除ボタン３２０Ｌは、所定の時間内に給湯操作レバー４００の操作がない場合には、自動的にオフとなるように制御される。
【００２８】
＜給湯操作レバー、基板、吐出口の構造＞
図４は給湯操作レバー４００と、基板３５１，３５２と、吐出部５００の構造の一例を示す模式的斜視図であり、図５は吐出部５００を含むノーズ部３００の中央部の断面の一例を示す模式図である。
【００２９】
まず、図４および図５に示すように、給湯操作レバー４００の中央部には、孔４０５が形成されており、当該孔４０５に吐出部５００を含む吐出ノズル５２０が貫通して配設される。それにより、給湯操作レバー４００を吐出部５００に対して上下方向に近接して配設することができ、さらに、給湯操作レバー４００の幅Ｈを大きく設けることができる。当該幅Ｈの詳細説明は、後述する。
【００３０】
給湯操作レバー４００の上方には、基板３５１および基板３５２が設けられている。基板３５１および基板３５２は、フレキシブル基板（ＦＰＣ（Ｆｌｅｘｉｂｌｅ  ｐｒｉｎｔｅｄ  ｃｉｒｃｕｉｔｓ）３５３により接続されている。なお、本実施の形態においては、フレキシブル基板３５３を用いることとしたが、これに限定されず、他の任意の線、例えばリボンジャンパー線を用いてもよい。
【００３１】
基板３５１の表面には、液晶３１０が配設されており、基板３５２の表面には、複数のボタンスイッチ３２０（図１から図３参照）の位置に応じて各種タクタイルスイッチ３６０等が設けられる。また、基板３５２の裏面には、給湯スイッチ３３５が設けられている。
【００３２】
また、給湯操作レバー４００と基板３５１，３５２およびフレキシブル基板３５３との間には、電気貯湯容器１００の転倒時における吐出ノズル５２０からの吐出を防止する止水バルブ５１０が設けられる。
【００３３】
図４の給湯操作レバー４００と、基板３５１，３５２およびフレキシブル基板３５３と、止水バルブ５１０等は、図５に示すように、主に前パネル６００と吐出部５００とシタクチ部材１４０により保持される。前パネル６００と吐出部５００との詳細構造は、後述する。
【００３４】
＜給湯操作レバー＞
図６および図７は、給湯操作レバー４００と、基板３５１，３５２との構造の断面を示す模式図である。
【００３５】
図４、図６および図７に示すように、給湯操作レバー４００は、てこ構造からなり、回転軸４１０を中心に矢印Ｒ３の方向（図６参照）に回転可能に設けられる。また、回転軸４１０には、弾性部材４２０が固定されており、矢印Ｒ３の方向とは逆方向に付勢力が働くように設けられる。
【００３６】
ここで、図４に示すように、給湯操作レバー４００では水平方向（左右方向）の幅Ｈが、操作する操作部位の先端（前側）から回転軸４１０までの長さＬよりも大きく設けられる。また、給湯操作レバー４００の後側、すなわち、給湯操作レバー４００の先端（前側）から回転軸４１０の方向に、回転軸４１０を超えた後側に、給湯スイッチ押し込み部４３５が設けられる。
【００３７】
＜給湯操作レバーの動作＞
ここで、給湯操作レバー４００の動きについて説明行う。例えば、使用者は、給湯を行う場合、給湯操作レバー４００を鉛直下方向（矢印ＰＦの方向）に押下操作する（図６参照）。その結果、給湯操作レバー４００は、回転軸４１０を中心に回転し、給湯スイッチ押し込み部４３５が矢印ＵＦの方向へ移動する。その結果、基板３５２の裏面に設けられた給湯スイッチ３３５がＯＮされる。また、給湯スイッチ３３５と給湯スイッチ押し込み部４３５との間には、空間を遮蔽するシートが配設されている。
【００３８】
そして、使用者が給湯を終了する場合、給湯操作レバー４００から手を離す。その結果、給湯操作レバー４００は、弾性部材４２０の働きにより矢印Ｒ３の方向とは、逆方向に付勢力が働き、給湯操作レバー４００の先端部が矢印ＰＦと逆方向（鉛直上方向）に移動し、給湯スイッチ押し込み部４３５が矢印ＵＦとは逆方向へ移動する。その結果、基板３５２の他方の面に設けられた給湯スイッチ３３５がＯＦＦされる。
【００３９】
＜前パネルの構造＞
続いて、前パネル６００の構造について説明するとともに、前パネル６００に取り付けられる給湯操作レバー４００および吐出部５００について説明を行う。図８および図９は前パネル６００の構造について説明する説明図であり、図１０は図８および図９に示した前パネル６００の断面構造を説明するための模式図である。
【００４０】
図８および図９に示すように、前パネル６００は、ノーズ部３００の上面以外を形成する。したがって、図１に示すように前パネル６００は、胴体部１１０の前面の略全体を一部材で覆うように設けられている。
【００４１】
前パネル６００は、ノーズ部３００を形成するために前方に大きく突出し、胴体部１１０からノーズ部３００にかけて湾曲した形状を有する。また、前パネル６００には、上述した給湯操作レバー４００が配設される載置部６７３および開口部６４０が設けられる。また載置部６７３には、リブ６４１が設けられる。当該リブ６４１は、給湯操作レバー４００を操作させるためのクリアランス（隙間）から内部の構造が前方から視認できないようにするための目隠し機能を有する。載置部６７３の下側には、隙間空間が形成される。さらに、前パネル６００の裏側には、そり防止のための補強リブ６７１が設けられている。
【００４２】
また、前パネル６００の前方に大きく突出し、かつ湾曲した形状に略矩形状孔６７０が形成される。当該略矩形状孔６７０には、吐出部５００が挿入され、前パネル６００の外観面と面一となるように形成されている。（図５参照）。また、略矩形状孔６７０の後側には、フック部材６７６が設けられる。
【００４３】
＜前パネルと吐出部と給湯操作レバーとの組立方法＞
給湯操作レバー４００の孔４０５に吐出部５００の一部が貫通して配設される。次いで、開口部６４０に給湯操作レバー４００の先端が差し込まれ、載置部６７３に設けられたリブ６４１が給湯操作レバー４００の切り欠き部４６５の空間に入る。次に、前パネル６００の載置部６７３の下方に設けられた空間に吐出部５００の先端ＳＴが差し込まれる。
その結果、前パネル６００により吐出部５００の先端ＳＴが上下方向に挟み込まれ、載置部６７３は、いわゆる吐出部５００が上方へ移動しないように押さえの役割を有する。
【００４４】
吐出部５００の先端ＳＴが完全に差し込まれた場合、前パネル６００のフック部材６７６が、吐出部５００の後端部を係止する。その結果、吐出部５００が前パネル６００から外れない構造を有する。最後に、固定部材４９０を介して給湯操作レバー４００の回転軸を螺子締結する。さらに、前パネル６００には、液量表示窓を形成する透明板部材６８０と表示シール６９０とが取り付けられる。
【００４５】
また、本実施の形態に係る前パネル６００は、ＡＢＳ樹脂（アクリロ二トリル・ブタジエン・スチレン樹脂）からなる。また、ＡＢＳ樹脂は、吐出部５００から吐出される熱湯の蒸気の耐熱性が問題となるため、本実施の形態に係る電気貯湯容器１００における蒸気と触れる部分（吐出部５００）は、ＰＰ樹脂（ポリプロピレン）からなる。
【００４６】
＜前パネルとシタクチ部材と天面部との固定＞
図１０に示すように、吐出部５００のボス５５０は、シタクチ部材１４０を介して上面パネル部材３０１の凹部Ｆ１２とビスＦＩＸにより、固定される。また上述したように、前パネル６００のノーズ部３００は、吐出部５００の先端ＳＴが載置部６７３を下方から支える。
【００４７】
さらに、図１０に示すように、前パネル６００の上端に設けられた孔６０１に上面パネル部材３０１のフック部３０２が入り込み、シタクチ部材１４０がフック部３０２の抜け防止のため前方に向かって力を加える。その結果、使用者が給湯操作レバー４００を大きな力で押下操作した場合でも、前パネル６００の下方垂れ下がりを防止することができる。
【００４８】
＜他の例（基板一枚タイプ）＆（給湯操作レバー切り欠きタイプ）＞
図１１は、図４の他の例を示す模式図である。
【００４９】
図１１に示すように、基板３５１，３５２、フレキシブル基板３５３の代わりに一枚の基板３５２ａから構成してもよい。それにより、製造コストを削減することができる。
【００５０】
また、図４に示した給湯操作レバー４００のように、吐出ノズル５２０を跨ることなく、図１１に示すように、給湯操作レバー４００の孔４０５を切り欠き部４０５ａとして設けて、吐出ノズル５２０を当該切り欠き部４０５ａに配置してもよい。
【００５１】
＜他の例（給湯操作レバー複数タイプ）＞
図１２は、図４のさらに他の例を示す模式図である。
【００５２】
図４に示した給湯操作レバー４００のように、吐出ノズル５２０を跨ることなく、図１２に示すように、吐出ノズル５２０の両側に、給湯操作レバー４００ｂ１，４００ｂ２をそれぞれ配置してもよい。
【００５３】
また、給湯操作レバー４００ｂ１，４００ｂ２の幅Ｈ１、Ｈ２は、それぞれ、操作する操作部位の先端（前側）から回転軸４１０までの長さＬよりも大きく設けられる。
【００５４】
＜他の例（給湯操作レバー部面一）＞
図１３は、図３の他の例を示す模式図である。
【００５５】
図１３に示すように、吐出ノズル５２０を後側へ移動させて、給湯操作レバー４００ｃをフラットな板形状であってもよい。
給湯操作レバー４００の表面に、鏡面または高反射率の表面加工（いわゆるメッキ）を施すことにより、前パネル６００のポケット部６００ｐａの上面部が写りこむので、奥行き感を生むことができる。また、給湯操作レバー４００の表面にＰＵＳＨ等の文字を印刷またはレーザ加工することにより、印刷または刻印が浮き上がって見えるため、給湯操作レバー４００の品質感を高めることができる。
【００５６】
なお、本実施の形態においては、ロック解除ボタン３２０Ｌを上面に配置し、給湯操作レバー４００をポケット部６００ｐに配置することとしたが、これに限定されず、それぞれ逆の位置に設けても良い。
【００５７】
さらに、本実施の形態においては、給湯操作レバー４００を用いることとしたが、これに限定されず、給湯ボタンであってもよい。また、給湯スイッチ３３５は、給湯操作レバー４００の先端および回転軸４１０の間の下方に設けても良い。
また、給湯スイッチ３３５は、給湯スイッチ押し込み部４３５が接触した場合に、ＯＮすることとしたが、これに限定されず、スイッチの位置を変更し、給湯スイッチ押し込み部４３５が離れることによりＯＮする開放型スイッチを用いてもよい。
【００５８】
以上のように、本実施の形態に係る電気貯湯容器１００においては、給湯操作レバー４００と、ロック解除ボタン３２０Ｌとが同一面内、すなわち同じ上面パネル部材３０１に設けられないため、電気貯湯容器１００への物の接触または衝突による液体の誤吐出を防止することができる。
すなわち、電気貯湯容器１００の上方から物が落下した際であっても、電気貯湯容器１００の給湯操作レバー４００と、ロック解除ボタン３２０Ｌとが同一面内に設けられていないので、給湯操作レバー４００と、ロック解除ボタン３２０Ｌとが同時に押下操作されることを防止できる。その結果、意図しない液体の誤吐出を防止することができる。
【００５９】
（２）
また、本実施の形態に係る電気貯湯容器１００においては、ロック解除ボタン３２０Ｌが上面パネル部材３０１に設けられ、給湯操作レバー４００がロック解除ボタン３２０Ｌよりも下方のポケット部６００ｐに設けられるため、電気貯湯容器１００への物の接触または衝突による液体の誤吐出を防止することができる。
すなわち、電気貯湯容器１００の上方から物が落下した際であっても、給湯操作レバー４００がロック解除ボタン３２０Ｌよりも下方に設けられているので、給湯操作レバー４００と、ロック解除ボタン３２０Ｌとが同時に押下操作されることを防止できる。その結果、意図しない液体の誤吐出を防止することができる。
また、万が一、使用者がロック解除ボタン３２０Ｌを押下操作した後に、再度、ロック解除ボタン３２０Ｌを押下操作しようとして、誤って給湯操作レバー４００を押下操作することを防止することができる。
【００６０】
（３）
また、本実施の形態に係る電気貯湯容器１００においては、給湯操作レバー４００とロック解除ボタン３２０Ｌとが鉛直上下方向に異なった面内に配置されるため、電気貯湯容器１００への物の接触または衝突による液体の誤吐出を防止することができる。
すなわち、電気貯湯容器１００の上方から物が落下した際であっても、給湯操作レバー４００とロック解除ボタン３２０Ｌとが鉛直上下方向に異なった面内（上面パネル部材３０１上および、ポケット部６００ｐ）に配置されるので、給湯操作レバー４００と、ロック解除ボタン３２０Ｌとが同時に押下操作されることを防止できる。その結果、意図しない液体の誤吐出を防止することができる。
また、万が一、使用者がロック解除ボタン３２０Ｌを押下操作した後に、再度、ロック解除ボタン３２０Ｌを押下操作しようとして、誤って給湯操作レバー４００を押下操作することを防止することができる。
【００６１】
（４）
また、本実施の形態に係る電気貯湯容器１００においては、基板３５２の表面にロック解除ボタン３２０Ｌの操作入力部を備え、基板３５２の裏面に給湯操作レバー４００の給湯スイッチ３３５を備えているので、基板よりも上方にロック解除ボタン３２０Ｌを設け、基板よりも下方に給湯操作レバー４００を設けることができる。その結果、給湯操作レバー４００とロック解除ボタン３２０Ｌとを鉛直上下方向に異なった面内に配置させつつ、ロック解除ボタン３２０Ｌおよび給湯操作レバー４００の給湯スイッチ３３５を一枚の基板で構成することができる。
【００６２】
（５）
また、本実施の形態に係る電気貯湯容器１００においては、給湯操作レバー４００は、鉛直上下方向に操作可能であるので、給湯スイッチ３３５は、鉛直上下方向、例えば、鉛直上方向に移動した場合にオンする、または鉛直下方向に移動した場合にオフする構造を有してもよい。また、電気貯湯容器１００は、鉛直軸周りに回転（矢印Ｒ２の方向）することができるので、吐出部５００を上面視して３６０度自在に移動させることができる。したがって、給湯操作レバー４００が、水平方向に操作可能であると、誤操作および誤動作の原因になるので、好ましくない。一方、給湯操作レバー４００を鉛直上下方向に操作可能とすることで、確実にオンオフを行うことができ、誤操作および誤動作を防止することができる。
【００６３】
本実施の形態において、水または熱湯が液体に相当し、電気貯湯容器１００が電気貯湯容器に相当し、給湯操作レバー４００が給湯操作部に相当し、ロック解除ボタン３２０Ｌが給湯ロック解除操作部に相当し、上面パネル部材３０１が上面、同一面に相当する。基板３５２の表面が基板の一方の面に相当し、基板３５２の裏面が基板の他方の面に相当し、給湯スイッチ３３５が給湯操作部の操作入力部に相当し、各種タクタイルスイッチ３６０等が給湯ロック解除操作部の操作入力部に相当する。
【００６４】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００６５】
１００  電気貯湯容器
３２０Ｌ  ロック解除ボタン
３０１  上面パネル部材
３５２  基板
３３５  給湯スイッチ
３６０  各種タクタイルスイッチ
４００  給湯操作レバー
【図１】
0005765564.tif 000002
【図２】
0005765564.tif 000003
【図３】
0005765564.tif 000004
【図４】
0005765564.tif 000005
【図５】
0005765564.tif 000006
【図６】
0005765564.tif 000007
【図７】
0005765564.tif 000008
【図８】
0005765564.tif 000009
【図９】
0005765564.tif 000010
【図１０】
0005765564.tif 000011
【図１１】
0005765564.tif 000012
【図１２】
0005765564.tif 000013
【図１３】
0005765564.tif 000014